(57)【要約】【課題】  写真に関連する情報を管理することができるアルバムシステム、携帯端末装置、制御方法、制御プログラム、及び、アルバムを提供する。【解決手段】表紙１０と、表紙１０の内側に配置され、固有の識別情報を有する台紙用識別コード１６がそれぞれ付された複数の台紙１１と、を有する少なくとも１つのアルバム２と、アルバム２に関する情報を処理する携帯端末装置３と、台紙用識別コード１６に関連付けられた関連情報を記憶する記憶手段と、を備え、携帯端末装置３は、表紙１０及び台紙１１を撮像可能な撮像部８と、関連情報を表示可能な表示部４と、制御部７と、を備え、制御部７は、撮像部８により撮像された台紙１１に付された台紙用識別コード１６を認識し、認識した台紙用識別コード１６に関連付けられた関連情報を記憶手段から抽出して表示部４に表示する。【選択図】図７
2013257840.tif 000002
【特許請求の範囲】
【請求項１】
表紙と、当該表紙の内側に配置され、固有の識別情報を有する台紙用識別コードがそれぞれ付された複数の台紙と、を有する少なくとも１つのアルバムと、
前記アルバムに関する情報を処理する携帯端末装置と、
前記台紙用識別コードに関連付けられた関連情報を記憶する記憶手段と、を備え、
前記携帯端末装置は、前記表紙及び前記台紙を撮像可能な撮像部と、前記関連情報を表示可能な表示部と、制御部と、を備え、
前記制御部は、
前記撮像部により撮像された前記台紙に付された前記台紙用識別コードを認識し、
認識した前記台紙用識別コードに関連付けられた前記関連情報を前記記憶手段から抽出して前記表示部に表示する、アルバムシステム。
【請求項２】
固有の識別情報を有する表紙用識別コードが前記表紙にそれぞれ付された複数のアルバムを備え、
前記関連情報は、前記表紙用識別コードに関連付けられており、
前記制御部は、
前記撮像部により撮像された前記表紙に付された前記表紙用識別コードを認識し、
認識した前記表紙用識別コード及び前記台紙用識別コードに関連付けられた前記関連情報を前記記憶部から抽出して前記表示部に表示する、請求項１に記載のアルバムシステム。
【請求項３】
前記表紙用識別コードは、シール片により前記表紙に付されている、請求項２に記載のアルバムシステム。
【請求項４】
表紙と、当該表紙の内側に配置され、固有の識別情報を有する台紙用識別コードがそれぞれ付された複数の台紙と、を有する少なくとも１つのアルバムに関する情報を処理する携帯端末装置であって、
前記表紙及び前記台紙を撮像可能な撮像部と、前記台紙用識別コードに関連付けられた関連情報を記憶する記憶手段と、前記関連情報を表示可能な表示部と、制御部と、を備え、
前記制御部は、
前記撮像部により撮像された前記台紙に付された前記台紙用識別コードを認識し、
認識した前記台紙用識別コードに関連付けられた前記関連情報を前記記憶手段から抽出して前記表示部に表示する、携帯端末装置。
【請求項５】
表紙と、当該表紙の内側に配置され、固有の識別情報を有する台紙用識別コードがそれぞれ付された複数の台紙と、を有する少なくとも１つのアルバムと、前記アルバムに関する情報を処理する携帯端末装置と、前記台紙用識別コードに関連付けられた関連情報を記憶する記憶手段と、を備えるアルバムシステムを制御する制御方法であって、
前記携帯端末装置は、前記表紙及び前記台紙を撮像可能な撮像部と、前記関連情報を表示可能な表示部と、制御部と、を備え、
前記制御部が、
前記撮像部により撮像された前記台紙に付された前記台紙用識別コードを認識するステップと、
認識した前記台紙用識別コードに関連付けられた前記関連情報を前記記憶手段から抽出して前記表示部に表示するステップと、を実行する制御方法。
【請求項６】
表紙と、当該表紙の内側に配置され、固有の識別情報を有する台紙用識別コードがそれぞれ付された複数の台紙と、を有する少なくとも１つのアルバムと、前記アルバムに関する情報を処理する携帯端末装置と、前記台紙用識別コードに関連付けられた関連情報を記憶する記憶手段と、を備えるアルバムシステムを制御する制御プログラムであって、
前記携帯端末装置は、前記表紙及び前記台紙を撮像可能な撮像部と、前記関連情報を表示可能な表示部と、制御部と、を備え、
前記制御部に、
前記撮像部により撮像された前記台紙に付された前記台紙用識別コードを認識するステップと、
認識した前記台紙用識別コードに関連付けられた前記関連情報を前記記憶手段から抽出して前記表示部に表示するステップと、を実行させる制御プログラム。
【請求項７】
固有の識別情報を有する台紙用識別コードが付された台紙を備え、
前記台紙は、基材と、当該基材を覆う基材保護層と、当該基材保護層を覆う写真保護層と備え、
前記台紙用識別コードは、前記基材の表面に印刷されている、アルバム。
【請求項８】
固有の識別情報を有する表紙用識別コードが付された表紙を更に備え、
前記表紙用識別コードは、シール片により前記表紙に付されている、請求項７に記載のアルバム。
【発明の詳細な説明】
【技術分野】
【０００１】
本発明は、写真に関連する情報を管理するアルバムシステム、携帯端末装置、制御方法、制御プログラム、及び、アルバムに関する。
【背景技術】
【０００２】
一般的に、複数の写真を保存して管理するときは、例えば、特許文献１に記載のようなアルバムに複数の写真を収容して管理している。このようなアルバムによれば、収容した写真をきれいに保存することができると共に、写真を整理して保存することができるので、写真を見やすい状態で管理することができる。したがって、アルバムのユーザーは、目的の写真を手軽に見ることができる。
【先行技術文献】
【特許文献】
【０００３】
【特許文献１】特開平７−１２５４８５号公報
【発明の概要】
【発明が解決しようとする課題】
【０００４】
ところで、アルバムのユーザーによっては、上記のようなアルバムに保存されている写真を見るだけではなく、この写真と併せて、この写真に関連する画像や動画等を見たいという要求があった。しかしながら、上記のようなアルバムでは、このようなユーザーの要求を満たすことができていなかった。
【０００５】
本発明は、上記問題を解決するためになされたものであって、写真に関連する情報を管理することができるアルバムシステム、携帯端末装置、制御方法、制御プログラム、及び、アルバムの提供を目的とする。
【課題を解決するための手段】
【０００６】
本発明は、上記課題を解決するためのアルバムシステムであって、表紙と、当該表紙の内側に配置され、固有の識別情報を有する台紙用識別コードがそれぞれ付された複数の台紙と、を有する少なくとも１つのアルバムと、前記アルバムに関する情報を処理する携帯端末装置と、前記台紙用識別コードに関連付けられた関連情報を記憶する記憶手段と、を備え、前記携帯端末装置は、前記表紙及び前記台紙を撮像可能な撮像部と、前記関連情報を表示可能な表示部と、制御部と、を備え、前記制御部は、前記撮像部により撮像された前記台紙に付された前記台紙用識別コードを認識し、認識した前記台紙用識別コードに関連付けられた前記関連情報を前記記憶手段から抽出して前記表示部に表示する、アルバムシステムである。
【０００７】
このような構成によれば、写真が配置される台紙に付された台紙用識別コードを認識し、認識した台紙用識別コードに関連付けられた関連情報を抽出して表示部に表示するので、台紙用識別コードを介して写真に関連する関連情報（画像や動画）を表示することができる。これによりユーザーは、写真と併せて、この写真に関連する関連情報（画像や動画）を見ることができる。このように本発明によれば、台紙用識別コードを介して写真に関連する情報を管理することができる。
【０００８】
また、上記のアルバムシステムは、固有の識別情報を有する表紙用識別コードが前記表紙にそれぞれ付された複数のアルバムを備えることが好ましく、前記関連情報は、前記表紙用識別コードに関連付けられており、前記制御部は、前記撮像部により撮像された前記表紙に付された前記表紙用識別コードを認識し、認識した前記表紙用識別コード及び前記台紙用識別コードに関連付けられた前記関連情報を前記記憶部から抽出して前記表示部に表示することが好ましい。
【０００９】
また、前記表紙用識別コードは、シール片により前記表紙に付されていることが好ましい。
【００１０】
あるいは、本発明は、上記課題を解決するためになされたものであり、表紙と、当該表紙の内側に配置され、固有の識別情報を有する台紙用識別コードがそれぞれ付された複数の台紙と、を有する少なくとも１つのアルバムに関する情報を処理する携帯端末装置であって、前記表紙及び前記台紙を撮像可能な撮像部と、前記台紙用識別コードに関連付けられた関連情報を記憶する記憶手段と、前記関連情報を表示可能な表示部と、制御部と、を備え、前記制御部は、前記撮像部により撮像された前記台紙に付された前記台紙用識別コードを認識し、認識した前記台紙用識別コードに関連付けられた前記関連情報を前記記憶手段から抽出して前記表示部に表示する、携帯端末装置であってもよい。
【００１１】
あるいは、本発明は、上記課題を解決するためになされたものであり、表紙と、当該表紙の内側に配置され、固有の識別情報を有する台紙用識別コードがそれぞれ付された複数の台紙と、を有する少なくとも１つのアルバムと、前記アルバムに関する情報を処理する携帯端末装置と、前記台紙用識別コードに関連付けられた関連情報を記憶する記憶手段と、を備えるアルバムシステムを制御する制御方法であって、前記携帯端末装置は、前記表紙及び前記台紙を撮像可能な撮像部と、前記関連情報を表示可能な表示部と、制御部と、を備え、前記制御部が、前記撮像部により撮像された前記台紙に付された前記台紙用識別コードを認識するステップと、認識した前記台紙用識別コードに関連付けられた前記関連情報を前記記憶手段から抽出して前記表示部に表示するステップと、を実行する制御方法であってもよい。
【００１２】
あるいは、本発明は、上記課題を解決するためになされたものであり、表紙と、当該表紙の内側に配置され、固有の識別情報を有する台紙用識別コードがそれぞれ付された複数の台紙と、を有する少なくとも１つのアルバムと、前記アルバムに関する情報を処理する携帯端末装置と、前記台紙用識別コードに関連付けられた関連情報を記憶する記憶手段と、を備えるアルバムシステムを制御する制御プログラムであって、前記携帯端末装置は、前記表紙及び前記台紙を撮像可能な撮像部と、前記関連情報を表示可能な表示部と、制御部と、を備え、前記制御部に、前記撮像部により撮像された前記台紙に付された前記台紙用識別コードを認識するステップと、認識した前記台紙用識別コードに関連付けられた前記関連情報を前記記憶手段から抽出して前記表示部に表示するステップと、を実行させる制御プログラムであってもよい。
【００１３】
あるいは、本発明は、上記課題を解決するためになされたものであり、固有の識別情報を有する台紙用識別コードが付された台紙を備え、前記台紙は、基材と、当該基材を覆う基材保護層と、当該基材保護層を覆う写真保護層と備え、前記台紙用識別コードは、前記基材の表面に印刷されている、アルバムであってもよい。
【００１４】
また、上記のアルバムにおいて、固有の識別情報を有する表紙用識別コードが付された表紙を更に備え、前記表紙用識別コードは、シール片により前記表紙に付されていることが好ましい。
【発明の効果】
【００１５】
本発明のアルバムシステム、携帯端末装置、制御方法、制御プログラム、及び、アルバムによれば、写真に関連する情報を管理することができる。
【図面の簡単な説明】
【００１６】
【図１】本発明の一実施形態に係るアルバムシステムの概略構成図であり、（ａ）はアルバムの斜視図であり、（ｂ）は携帯端末装置の正面図であり、（ｃ）は携帯端末装置の裏面図である。
【図２】アルバムの内側の平面図である。
【図３】シール片及び剥離基材の平面図である。
【図４】台紙の断面図である。
【図５】携帯端末装置のブロック図である。
【図６】関連情報記憶領域に記憶される記憶テーブルの一例を示す図である。
【図７】アルバムシステムの制御方法のフローチャートである。
【図８】関連情報の表示処理のフローチャートである。
【図９】関連情報の登録処理のフローチャートである。
【図１０】関連情報記憶領域に記憶される記憶テーブルの他の一例を示す図である。
【図１１】他の実施形態に係る携帯端末装置のブロック図である。
【発明を実施するための形態】
【００１７】
以下、本発明の実施形態について添付図面を参照して説明する。図１は、本発明の一実施形態に係るアルバムシステムの概略構成図であり、（ａ）はアルバムの斜視図であり、（ｂ）は携帯端末装置の正面図であり、（ｃ）は携帯端末装置の裏面図である。図１に示すように、このアルバムシステム１は、複数のアルバム２、２、・・・及び携帯端末装置３を備えている。
【００１８】
まず、アルバム２について説明する。図２は、アルバムの内側の平面図である。図１及び図２に示すように、各アルバム２は、外側の表紙１０と、表紙１０の内側に配置された複数の台紙１１とを備えている。表紙１０には、シール片１２が貼り付けられており、このシール片１２には、表紙用識別コード１５が表示されている。これにより、各アルバム２の表紙１０に、それぞれ、表紙用識別コード１５が付されている。表紙用識別コード１５を付す位置は特に限定されず、例えば、表紙１０の表表紙、背表紙、裏表紙、又は、内面に付すことができる。また、表紙１０としては、一般的なアルバムに用いられる公知の表紙を用いることができ、例えば、プラスチック又は厚紙などにより形成されている。
【００１９】
シール片１２は、図示しない粘着層を備えており、この粘着層により表紙１０に貼り付けることができる。また、シール片１２は、表紙１０に貼り付ける前は、図３に示すように、剥離基材１４の表面に配置されており、剥離基材１４から剥離して表紙１０に貼り付けることができる。剥離基材１４には複数のシール片１２を配置することができ、複数のシール片１２を一度に製造することができる。
【００２０】
図４は、台紙の断面図である。図４に示すように、台紙１１は、中央の基材１１０と、基材１１０の表面に配置された接着剤層１１１と、接着剤層１１１の表面に配置された基材保護層１１２と、基材保護層１１２の表面に配置された粘着剤層１１４と、基材保護層１１２の表面に配置された写真保護層１１３とを備えている。これにより、基材保護層１１２が基材１１０の表面を覆い、写真保護層１１３が基材保護層１１２の表面を覆っている。基材１１０としては、公知のプラスチック板又は厚紙などを用いることができ、接着剤層１１１としては、公知の樹脂系接着剤などを用いることができる。また、基材保護層１１２及び写真保護層１１３としては、公知のポリプロピレンフィルムなどを用いることができ、粘着剤層１１４としては、公知の樹脂系粘着剤を用いることができる。また、粘着剤層１１４と写真保護層１１３との間（粘着剤層１１４の上、写真保護層１１３の下）には、写真Ｐを配置することができ、ユーザーが選択した任意の写真Ｐを配置して写真保護層１１３により覆うことができる。これにより写真Ｐを保存することができる。また、基材１１０の表面には複数の台紙用識別コード１６が表示されており、これにより、台紙１１に複数の台紙用識別コード１６が付されている。また、各台紙用識別コード１６は、基材１１０に印刷されており、その上に接着剤層１１１が塗布されている。複数の台紙用識別コード１６を付す位置は、特に限定されないが、例えば、台紙１１の四隅に付すことができる。また、各台紙用識別コード１６を付す位置は、各写真Ｐを配置する位置と対応していることが好ましい。これにより、各台紙用識別コード１６と各写真Ｐとを対応付けて表示することができる。
【００２１】
表紙１０に付された表紙用識別コード１５及び台紙１１に付された台紙用識別コード１６としては、例えば、公知のＱＲコード（登録商標）及びバーコード等を用いることができ、本実施形態ではＱＲコード（登録商標）を用いている。また、各表紙用識別コード１５および各台紙用識別コード１６は、それぞれ固有の識別情報を有している。例えば、本実施形態では、各表紙用識別コード１５は、それぞれ、ａ１，ａ２，ａ３・・・の識別情報を有しており、また、各台紙用識別コード１６は、それぞれ、ｂ１，ｂ２，ｂ３・・・の識別情報を有している。また、固有の識別情報としては、特に限定されるものではないが、例えば、表紙用識別コード１５が付されたアルバム２に固有の登録番号、台紙用識別コード１６が表示された台紙１１における位置の情報、又は、台紙１１のページ番号などを用いることができる。また、読み取り可能な表紙用識別コード１５及び台紙用識別コード１６は、予めプログラムの中で設定されている。  次に、携帯端末装置３について説明する。図５は、携帯端末装置のブロック図である。図１及び図５に示すように、携帯端末装置３は、装置本体５、撮像部８、表示部４、タッチパネル９、記憶部６および制御部７を備えている。またその他に、携帯端末装置３は、無線通信のためのアンテナ、音声通話のためのマイクやスピーカーなどを備えている（いずれも図示せず）。このような携帯端末装置３としては、特に限定されるものではなく、例えば、スマートフォン、携帯電話機、ＰＤＡ、タブレットＰＣなどが挙げられる。
【００２２】
装置本体５としては、公知のスマートフォンの本体を用いることができ、電源スイッチや各種のボタンを備えている。また、撮像部８は、レンズを通して入射する被写体像を撮像する公知の構成であり、このような撮像部８としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００２３】
表示部４としては、液晶ディスプレイや有機ＥＬディスプレイ等の公知の表示デバイスを用いることができ、その表示画面上に画像（静止画）や動画を表示することができる。また、タッチパネル９は、ユーザーが表面をタッチしたときにそのタッチ位置を認識可能な公知のタッチパネルであり、表示部４の上に重ねて配置されている。このタッチパネル９としては、抵抗膜方式、表面弾性波方式、電磁誘導方式、静電容量方式等、公知の方式のものを用いることができる。また、このタッチパネル９をユーザーがタッチすることにより、各種の入力をすることができる。例えば、タッチパネル９のタッチにより、撮像部８による撮像、表示部４における表示の指示を入力することができる。
【００２４】
記憶部６は、情報処理のためのプログラム及びデータを記憶する公知のハードディスク又は半導体メモリなどの記憶媒体により構成されている。この記憶部６は、関連情報を記憶するための関連情報記憶領域６０と、後述の予備情報を記憶するための予備情報記憶領域６１とを備えている。関連情報記憶領域６０には、各表紙用識別コード１５に固有の識別情報、各台紙用識別コード１６に固有の識別情報、および、複数の関連情報を、それぞれ関連付けて記憶することができる。関連情報としては、例えば、画像（静止画）、動画、３Ｄコンテンツ（画像・動画）又はテキストデータなどにすることができる。画像に係る関連情報としては、例えば、ｊｐｅｇ及びｇｉｆなどのファイル形式の情報を用いることができる。また、動画に係る関連情報としては、例えば、ａｖｉ及びｍｐｅｇなどのファイル形式の情報を用いることができる。本実施形態では、複数の関連情報ｘ１、ｘ２、ｘ３・・・を関連情報記憶領域６０に格納している。図６は、関連情報記憶領域に記憶される記憶テーブルの一例を示す図である。図６に示すように、本実施形態では、関連情報ｘ１、ｘ２、ｘ３・・・は、各表紙用識別コード１５に固有の識別情報ａ１，ａ２，ａ３・・・、および、各台紙用識別コード１６に固有の識別情報ｂ１，ｂ２，ｂ３・・・に対応して関連情報記憶領域６０の記憶テーブルに予め登録されている。これにより、各表紙用識別コード１５の識別情報、各台紙用識別コード１６の識別情報、および、複数の関連情報が、関連付けられて記憶されている。また、登録する関連情報の具体的なコンテンツは、ユーザーが自由に選択することができ、例えば、台紙１１に配置した写真Ｐの内容に関連するコンテンツを選択ことができる。また、記憶部６は、アルバムシステム１を制御するための制御プログラムを記憶している。
【００２５】
制御部７は、プログラム及びデータに基づいて情報処理をする公知のＣＰＵなどのプロセッサにより構成されている。この制御部７は、記憶部６に記憶されたアルバムシステムの制御プログラムを実行することにより、上記の各構成要素を制御することができる。アルバムシステムの制御の詳細については、以下に説明する。
【００２６】
次に、上記のような構成を備えるアルバムシステムを制御する制御方法について説明する。この制御方法は制御プログラムにより実行される。図７は、アルバムシステムの制御方法のフローチャートである。図７に示すように、本実施形態に係るアルバムシステム１ではまず、ユーザーが、複数のアルバム２，２・・から任意のアルバム２を選択し、選択したアルバム２の表紙１０に付された表紙用識別コード１５を、携帯端末装置３の撮像部８により撮像する（ステップＳ１）。
【００２７】
撮像後、制御部７は、撮像された表紙用識別コード１５を認識し、この表紙用識別コード１５に固有の識別情報を取得する（ステップＳ２）。表紙用識別コード１５を認識する方法は特に限定されないが、例えば、ＱＲコード（登録商標）を表紙用識別コード１５として用いた場合、ＱＲコード（登録商標）のシンボルおよびパターンを認識する公知の方法により識別情報を認識することができる。
【００２８】
その後、ユーザーが、上記の選択したアルバム２において、台紙１１に付された複数の台紙用識別コード１６から任意の台紙用識別コード１６を選択し、選択した台紙用識別コード１６を、携帯端末装置３の撮像部８により撮像する（ステップＳ３）。このとき、ユーザーは、複数の写真Ｐから興味のある写真Ｐを選択し、その写真Ｐに対応する位置に付された台紙用識別コード１６を撮像することができる。
【００２９】
撮像後、制御部７は、撮像された台紙用識別コード１６を認識し、この台紙用識別コード１６に固有の識別情報を取得する（ステップＳ４）。台紙用識別コード１６を認識する方法は、上記の表紙用識別コード１５の場合と同様の方法を用いることができる。
【００３０】
続いて、制御部７は、認識した表紙用識別コード１５及び台紙用識別コード１６に基づいて、記憶部６に記憶されている関連情報を検索して抽出する（ステップＳ５、ステップＳ６）。より詳細には、本実施形態では、制御部７は、認識した表紙用識別コード１５に固有の識別情報および台紙用識別コード１６に固有の識別情報を検索キーとして、これらの識別情報に関連付いている関連情報を関連情報記憶領域６０から抽出する。例えば、図６に示すように、認識した表紙用識別コード１５の識別情報が「ａ２」であり、かつ、認識した台紙用識別コード１６の識別情報が「ｂ３」である場合、この識別情報「ａ２及びｂ３」を検索キーとして関連情報記憶領域６０の記憶テーブルを検索し、識別情報「ａ２及びｂ３」に関連付けて登録されている関連情報「ｘ７、ｘ８、ｘ９」を抽出する。
【００３１】
続いて、制御部７は、表紙用識別コード１５及び台紙用識別コード１６に基づいて関連情報を抽出できた場合には、次に説明する関連情報の表示処理（ステップＳ７）を行うことができる。一方、制御部７は、関連情報を抽出できなかった場合（検索キーに関連付く関連情報が記憶部６に存在しない場合）には、後述の関連情報の登録処理（Ａ）を行うことができる。
【００３２】
関連情報の表示処理では、制御部７は、抽出した関連情報を表示部４に表示する（ステップＳ７）。関連情報を表示部４に表示する方法は特に限定されないが、例えば、以下に説明する方法により表示することができる。図８は、関連情報の表示処理のフローチャートである。本実施形態に係る関連情報の表示処理では、制御部７は、画像（静止画）に係る関連情報を１つのみ抽出した場合は、この１つの画像を表示部４に表示する（ステップＳ１１、ステップＳ１２、ステップＳ１３）。また、制御部７は、動画に係る関連情報を１つのみ抽出した場合は、この動画を再生して表示部４に表示する（ステップＳ１４）。また、制御部７は、複数の関連情報を抽出した場合は、これら複数の関連情報をサムネイル形式で表示部４に表示する（ステップＳ１５）。本実施形態では、複数の関連情報ｘ７、ｘ８、ｘ９が抽出されるので、これらの関連情報ｘ７、ｘ８、ｘ９がサムネイル形式で表示部４に表示される。また、サムネイル形式で表示された関連情報を拡大表示する場合は、ユーザーが、複数の関連情報から拡大表示したい関連情報を選択し、当該関連情報が表示された位置のタッチパネル９をタッチする。制御部７は、タッチパネル９のタッチ位置に対応する画像又は動画に係る関連情報を拡大表示する（ステップＳ１６、ステップＳ１７、ステップＳ１８）。また、制御部７は、タッチされた動画を再生して表示部４に表示することもできる（ステップＳ１８）。
【００３３】
上記の画像の表示、動画の再生、及び、サムネイル形式の表示については、公知の方法により行うことができる。例えば、動画を再生するときは、ＲｅａｌＰｌａｙｅｒ（登録商標）などの公知の動画再生用アプリケーションソフトを用いることができる。また、複数の画像がある場合には、ユーザーがタッチパネル９に対してフリップ操作（ユーザーの指がタッチしている位置から所定距離移動しつつ、その移動先では指が非タッチ状態となる操作）をすることにより、複数の画像をそれぞれ切り替えて表示することもできる。
【００３４】
上記実施形態に係るアルバムシステム１によれば、写真Ｐが配置される台紙１１に付された台紙用識別コード１６を認識し、認識した台紙用識別コード１６に関連付けられた関連情報を抽出して表示部４に表示するので、台紙用識別コード１６を介して写真Ｐに関連する関連情報（画像や動画）を表示することができる。これによりユーザーは、写真Ｐと併せて、この写真Ｐに関連する関連情報（画像や動画）を見ることができる。このように本発明によれば、台紙用識別コード１６を介して写真Ｐに関連する情報を管理することができる。
【００３５】
また、表紙用識別コード１５を認識することにより、この表紙用識別コード１５及び上記の台紙用識別コード１６を介して写真Ｐに関連する関連情報（画像や動画）を表示することもできる。これにより、アルバム２が複数ある場合でも、各アルバム２に付された表紙用識別コード１５を介して写真Ｐに関連する情報を管理することができる。また、表紙用識別コード１５をシール片１２により表紙１０に付すことにより、表紙用識別コード１５を予め表紙１０に付しておく必要がなく、シール片１２により事後的に表紙１０に付すことができる。これにより、様々な種類のアルバムに表紙用識別コード１５を付すことができる。また、予め表紙用識別コード１５を表紙１０に付す必要がないため、アルバム２を製造するときの製造コストを抑えることができる。すなわち、予め同様の表紙用識別コード１５が付されたアルバム２を複数製造しておき、これらのアルバム２にシール片１２により表紙用識別コード１５を付すことにより、複数のアルバム２を分類することができる。これにより、アルバム２を製造するときに効率的に製造することができ、コストを抑えることができる。また、台紙１１の基材１１０の表面に台紙用識別コード１６を付し、この基材１１０を基材保護層１１２によって覆うことにより、台紙用識別コード１６を保護することができる。これにより、台紙用識別コード１６の劣化を防ぐことができるので、台紙用識別コード１６を確実に認識することができる。
【００３６】
以上、本発明の一実施形態について説明したが、本発明の具体的な態様は、上記実施形態に限定されるものではない。例えば、上記実施形態では、関連情報が関連情報記憶領域６０に予め記憶されている構成であったが、この構成に限定されるものではなく、関連情報の登録処理（Ａ）を行うこともできる。関連情報の登録処理の一例について以下に説明する。
【００３７】
関連情報の登録処理では、事後的に、関連情報、表紙用識別コード１５に固有の識別情報、及び、台紙用識別コード１６に固有の識別情報を、関連付けて関連情報記憶領域６０に記憶することができる。例えば、上述したように、ステップＳ５、ステップＳ６において、制御部７が表紙用識別コード１５に固有の識別情報および台紙用識別コード１６に固有の識別情報を検索キーとして検索しても関連情報を抽出できなかった場合（検索キーに関連付く関連情報が記憶部６に存在しない場合）に、関連情報の登録処理（Ａ）を行うことができる。
【００３８】
関連情報の登録処理（Ａ）を行う場合、記憶部６は、予備情報記憶領域６１に予め予備情報を記憶しておくことができる。予備情報としては、上述の関連情報と同様の情報にすることができ、例えば、画像（静止画）及び動画などにすることができる。この予備情報は、表紙用識別コード１５および台紙用識別コード１６と関連付くことにより、関連情報として関連情報記憶領域６０に保存される。また、この予備情報は、ユーザーが自由に予備情報記憶領域６１に保存しておくことができる。
【００３９】
図９は、関連情報の登録処理のフローチャートである。関連情報の登録処理では、上述のステップＳ６の後、予備情報記憶領域６１に予備情報がある場合は、制御部７が、予備情報記憶領域６１に記憶されている予備情報を表示部４に表示する（ステップＳ２１、ステップＳ２２）。予備情報を表示部４に表示する方法は特に限定されないが、本実施形態では、制御部７が、複数の予備情報をサムネイル形式で表示部４に表示する。
【００４０】
続いて、ユーザーが、複数の予備情報から関連情報として登録したい予備情報を選択し、当該予備情報が表示された位置のタッチパネル９をタッチする（ステップＳ２３）。予備情報が選択された後、制御部７は、予備情報を関連情報として登録するための登録ボタンを表示部４に表示する（ステップＳ２４）。続いて、ユーザーが、登録ボタンが表示された位置のタッチパネル９をタッチすると、制御部７は、選択された予備情報を関連情報として関連情報記憶領域６０に記憶する（ステップＳ２５）。このとき制御部７は、関連情報（予備情報）と、上述のステップＳ２およびステップＳ４で認識した表紙用識別コード１５に固有の識別情報および台紙用識別コード１６に固有の識別情報とを関連付けて、関連情報記憶領域６０の記憶テーブルに登録する。例えば、図１０に示すように、予備情報が「ｘ１」であり、表紙用識別コード１５に固有の識別情報が「ａ１」であり、台紙用識別コード１６に固有の識別情報が「ｂ１」である場合、予備情報「ｘ１」を関連情報として、識別情報「ａ１及びｂ１」と共に、関連情報記憶領域６０の記憶テーブルに保存する。これにより、表紙用識別コード１５に固有の識別情報ａ１及び台紙用識別コード１６に固有の識別情報ｂ１と、関連情報（予備情報）ｘ１とを関連付けて登録することができる。
【００４１】
また、予備情報が予備情報記憶領域６１に予め記憶されていない場合は、上述のステップＳ２１の後、制御部７が、撮像用の画面を表示部４に表示する（ステップＳ３１）。続いて、ユーザーが、関連情報として登録したい画像を撮像部８により撮像する（ステップＳ３２）。画像が撮像されると、制御部７は、撮像された画像を関連情報として関連情報記憶領域６０の記憶テーブルに記憶する（ステップＳ３３）。このとき制御部７は、関連情報（予備情報）と、上述のステップＳ２およびステップＳ４で認識した表紙用識別コード１５に固有の識別情報および台紙用識別コード１６に固有の識別情報とを関連付けて、関連情報記憶領域６０の記憶テーブルに登録する。
【００４２】
また、上記実施形態では、アルバムシステム１は、複数のアルバム２を備える構成であったが、この構成に限定されるものではなく、少なくとも１つのアルバム２を備えていればよく、アルバム２が１つのみであってもよい。このような構成の場合、アルバム２が１つのみなので、アルバム２を識別するための表紙用識別コード１５を省略することができる。また、表紙用識別コード１５を省略したことにより、上述したステップＳ１及びステップＳ２を省略することができる。また、制御部７は、台紙用識別コード１６に固有の識別情報を検索キーとして記憶部６を検索し、この識別情報に関連付いている関連情報を記憶部６から抽出し、抽出した関連情報を表示部４に表示する。
【００４３】
また、上記の各実施形態では、携帯端末装置３に内蔵された記憶部６に関連情報を記憶する構成であったが、この構成に限定されるものではなく、携帯端末装置３の外部に配置された記憶手段に関連情報を記憶する構成であってもよい。図１１は、他の実施形態に係る携帯端末装置のブロック図である。図１１に示すように、他の実施形態に係る携帯端末装置３は、通信ネットワーク２０を介して、外部の記憶サーバー２１に接続されている。通信ネットワーク２０としては、公知のインターネットを用いることができ、携帯端末装置３と記憶サーバー２１との間で情報の送受信を行うことができる。このような構成によれば、携帯端末装置３は、通信ネットワーク２０を介して関連情報を記憶サーバー２１の記憶部６に送信して記憶すると共に、記憶した関連情報を記憶サーバー２１から受信することができる。また、その他に、表紙用識別コード１５に固有の識別情報、台紙用識別コード１６に固有の識別情報、及び、予備情報等も記憶サーバー２１の記憶部６に記憶することができる。
【符号の説明】
【００４４】
１    アルバムシステム
２    アルバム
３    携帯端末装置
４    表示部
５    装置本体
６    記憶部
７    制御部
８    撮像部
１０    表紙
１１    台紙
１２    シール片
１４    剥離基材
１５    表紙用識別コード
１６    台紙用識別コード
２０  通信ネットワーク
２１  記憶サーバー
６０  関連情報記憶領域
６１  予備情報記憶領域
１１０  基材
１１１  接着剤層
１１２  基材保護層
１１３  写真保護層
【図５】
2013257840.tif 000003
【図７】
2013257840.tif 000004
【図８】
2013257840.tif 000005
【図９】
2013257840.tif 000006
【図１０】
2013257840.tif 000007
【図１１】
2013257840.tif 000008
【図１】
2013257840.tif 000009
【図２】
2013257840.tif 000010
【図３】
2013257840.tif 000011
【図４】
2013257840.tif 000012
【図６】
2013257840.tif 000013